(57)【特許請求の範囲】
【請求項１】
ダビング元の記録媒体に記録された曲を識別するための曲情報を読み取り、高速ダビングを実施する高速ダビング実施手段と、
日時を計時する計時手段と、
過去に高速ダビングを行った曲の曲情報とそのときの日時情報とを保持する保持手段と、
上記保持手段に保持されている曲情報の中で、上記高速ダビング実施手段にて読み取られた曲情報を検索することによって高速ダビングの可否を判断する曲情報検索手段と、
上記同一の曲情報が上記保持手段に保持されている場合に、上記高速ダビング実施手段を駆動した時点での第１の日時情報と、保持手段に保持されている上記同一の曲情報に対応する第２の日時情報との差と、高速ダビングの禁止期間との大小関係を比較することによって高速ダビングの可否を判断する日時情報比較手段と、
曲情報検索手段および日時情報比較手段での判断結果に基づいて、高速ダビング実施手段による高速ダビングの実施を制御するダビング実施制御手段とを備えたダビング装置であって、
上記計時手段にて計時されている日時を変更する日時情報変更手段と、
上記高速ダビング実施手段が駆動されたときに、任意の曲についての高速ダビングの禁止期間内での上記日時変更の有無を判断して、
上記日時変更がある場合、上記曲に対応する第２の日時情報を上記変更後の日時に更新する日時情報更新手段とをさらに備えていることを特徴とするダビング装置。
【請求項２】
上記保持手段は、任意の曲について高速ダビングの禁止期間内で上記日時が変更されなかったときには、上記高速ダビングの禁止期間を経過した後に、当該保持手段に保持されている上記曲についての曲情報を消去することを特徴とする請求項１に記載のダビング装置。
【請求項３】
上記日時情報更新手段は、上記日時情報変更手段が上記日時をリセットした場合には、上記第２の日時情報をリセットすることを特徴とする請求項１または２に記載のダビング装置。
【請求項４】
上記日時情報更新手段は、装置の電源ＯＦＦによって上記日時がリセットされた場合には、上記第２の日時情報をリセットすることを特徴とする請求項１ないし３のいずれかに記載のダビング装置。
【請求項５】
請求項１ないし４のいずれかに記載のダビング装置を備えたオーディオ機器。
【発明の詳細な説明】
【０００１】
【発明の属する技術分野】
本発明は、ＨＣＭＳ（Ｈｉ  Ｓｐｅｅｄ  Ｃｏｐｙ  Ｍａｎａｇｅｍｅｎｔ  Ｓｙｓｔｅｍ  ）の概念に基づいて、例えばＭＤ（Ｍｉｎｉ  Ｄｉｓｃ  ）からＭＤ、あるいはＣＤ（Ｃｏｍｐａｃｔ  Ｄｉｓｃ）からＭＤへの高速ダビングを行うダビング装置およびこれを備えたオーディオ機器に関するものである。
【０００２】
【従来の技術】
ＭＤの高速ダビングに関する規格改定に伴い、一体型ＭＤ録再機に対するダビングの速度制限がはずされ、高速ダビングが可能となる中で、現在、著作権保護の観点からＨＣＭＳの概念が推奨されている。『ＭＤの高速ダビングに関する規格改定の報告』によれば、ＨＣＭＳは、高速ダビングの開始後、７４分間は同一曲の高速ダビングを禁止するシステムである。日本においては、音楽を記録したＣＤのレンタルサービスが広く普及しており、ＭＤからＭＤへのダビング時には、レンタルＣＤからＭＤへのダビング等も考慮して著作権保護を図る必要がある。そのため、上記ＨＣＭＳの概念が推奨されている。なお、上記のダビング禁止時間は、録音用ＭＤにおける録音可能時間が７４分であることを考慮して設定されたものと思われる。
【０００３】
ここで、従来技術として考えられるダビング装置としてのＨＣＭＳ装置の概略の構成を図４に示す。このＨＣＭＳ装置は、高速ダビング実施手段５１、曲情報書き込み手段５２、日時情報書き込み手段５３、保持手段５４、曲情報検索手段５５、日時情報比較手段５６、ダビング実施制御手段５７、計時手段５８およびバックアップバッテリー５９を備えている。
【０００４】
高速ダビング実施手段５１は、高速ダビングの実施を行うと共に、高速ダビングされる曲（以下、被高速ダビング曲と称する）の曲情報をダビング元のＭＤまたはＣＤから読み取る。曲情報書き込み手段５２は、被高速ダビング曲の上記曲情報を保持手段５４に書き込む。日時情報書き込み手段５３は、高速ダビングを行ったときの日時情報を保持手段５４に書き込む。保持手段５４は、例えば不揮発性メモリーで構成されており、上記曲情報と上記日時情報とを保持する。
【０００５】
曲情報検索手段５５は、保持手段５４に保持されている曲情報の中で、高速ダビング実施手段５１にて読み取られた曲情報を検索し、保持手段５４にこれと同一の曲情報が保持されているか否かを判断する。日時情報比較手段５６は、上記同一の曲情報が保持手段５４にて保持されている場合に、高速ダビング実施手段５１を駆動した時点での日時情報と、保持手段５４に保持されている上記同一の曲情報に対応した日時情報（過去に上記曲情報の曲が高速ダビングされたときの日時情報）との差と、高速ダビング禁止期間（例えば７４分）とを比較する。
【０００６】
ダビング実施制御手段５７は、曲情報検索手段５５の検索結果および日時情報比較手段５６での比較結果に基づいて、高速ダビング実施手段５１での高速ダビングの実行を制御する。
【０００７】
計時手段５８は、高速ダビングを行ったときの日時を計時するものであり、バックアップバッテリー５９と接続されている。これにより、上記ＨＣＭＳ装置を備えたデジタルオーディオ機器自体の電源がＯＦＦされても、バックアップバッテリー５９からの電源供給により、計時手段５８は日時の計時を継続して行うことが可能となっている。
【０００８】
上記の構成において、高速ダビングを開始すべく、高速ダビング実施手段５１が駆動されると、まず、高速ダビング実施手段５１は、ダビング元のＭＤまたはＣＤに記録されている被高速ダビング曲の曲情報を全て読み取る。次に、曲情報検索手段５５は、保持手段５４に保持されている曲情報の中で、上記高速ダビング実施手段５１にて読み取られた曲情報を検索し、これと同一の曲情報が保持手段５４に存在するか否かを判断する。
【０００９】
上記同一の曲情報が保持手段５４に存在しないと判断した場合、曲情報検索手段５５はダビング可と判断し、曲情報書き込み手段５２が高速ダビング実施手段５１にて読み取られた被高速ダビング曲の曲情報を保持手段５４に書き込む。また、これと同時に、日時情報書き込み手段５３がそのときの日時情報を保持手段５４に書き込む。そして、ダビング実施制御手段５７は、高速ダビング実施手段５１によるＭＤからＭＤまたはＣＤからＭＤへの高速ダビングを開始させる。
【００１０】
一方、上記同一の曲情報が保持手段５４に存在する場合、日時情報比較手段５６は、高速ダビング実施手段５１を駆動した時点の日時情報と、保持手段５４に保持されている上記同一の曲情報に対応した日時情報との差が、高速ダビング禁止期間である７４分を越えているか否かを判断する。
【００１１】
上記の差が７４分を越えていると判断した場合は、日時情報比較手段５６はダビング可と判断し、曲情報書き込み手段５２および日時情報書き込み手段５３が上記と同様の動作を行い、ダビング実施制御手段５７が高速ダビング実施手段５１による高速ダビングを開始させる。
【００１２】
一方、上記の差が７４分以内であると判断した場合は、日時情報比較手段５６はダビング不可と判断し、ダビング実施制御手段５７は、高速ダビング実施手段５１による高速ダビングを中止させる。
【００１３】
このように、高速ダビング実施手段５１によって高速ダビングされようとしている曲と同一の曲についての曲情報が保持手段５４に保持されている場合、つまり、上記の高速ダビングが、過去に高速ダビングを行った曲と同一の曲についてのダビングである場合には、過去に高速ダビングを行った日時からの時間経過を見ることで、所定時間内における同一曲の高速ダビングを禁止することができる。
【００１４】
【発明が解決しようとする課題】
ところが、図４に示す構成では、例えば日時Ａに高速ダビングされた曲Ｘについて、高速ダビングを禁止する７４分以内で、計時手段５８の日時がユーザによって例えば（Ａ＋７４分）以上に変更された場合には、本来、高速ダビングの禁止期間内であるにもかかわらず、時間上では高速ダビングの禁止期間を過ぎていると見なされて高速ダビングが許可されてしまうという問題が生ずる。
【００１５】
また、上記構成では、高速ダビングを行ったときからの時間経過を常に管理する必要があり、デジタルオーディオ機器自体の電源がＯＦＦであっても計時手段５８を駆動させるためのバックアップバッテリー５９が不可欠である。そのため、デジタルオーディオ機器自体の電源とバックアップバッテリー５９との２つの電源を要することによって、結果的に消費電力が増大するという問題も生ずる。
【００１６】
本発明は、上記の問題点を解決するためになされたもので、その目的は、計時用のバックアップバッテリーを必要とせず、ユーザによって日時情報が故意に変更された場合でも、同一曲の一定時間内での高速ダビングを確実に禁止することができるダビング装置およびこれを備えたオーディオ機器を提供することにある。
【００１７】
【課題を解決するための手段】
本発明に係るダビング装置は、上記の課題を解決するために、ダビング元の記録媒体に記録された曲を識別するための曲情報を読み取り、高速ダビングを実施する高速ダビング実施手段と、日時を計時する計時手段と、過去に高速ダビングを行った曲の曲情報とそのときの日時情報とを保持する保持手段と、上記保持手段に保持されている曲情報の中で、上記高速ダビング実施手段にて読み取られた曲情報を検索することによって高速ダビングの可否を判断する曲情報検索手段と、上記同一の曲情報が上記保持手段に保持されている場合に、上記高速ダビング実施手段を駆動した時点での第１の日時情報と、保持手段に保持されている上記同一の曲情報に対応する第２の日時情報との差と、高速ダビングの禁止期間との大小関係を比較することによって高速ダビングの可否を判断する日時情報比較手段と、曲情報検索手段および日時情報比較手段での判断結果に基づいて、高速ダビング実施手段による高速ダビングの実施を制御するダビング実施制御手段とを備えたダビング装置であって、上記計時手段にて計時されている日時を変更する日時情報変更手段と、任意の曲についての高速ダビングの禁止期間内で上記日時が変更された後、上記高速ダビング実施手段が駆動されたときに、上記曲に対応する第２の日時情報を上記変更後の日時に更新する日時情報更新手段とをさらに備えていることを特徴としている。
【００１８】
上記の構成によれば、高速ダビング実施手段が駆動されると、高速ダビング実施手段は、ダビング元の記録媒体（例えばＭＤやＣＤ）に記録された曲の曲情報を読み取り、曲情報検索手段が、保持手段に既に保持されている曲情報の中で、高速ダビング実施手段にて読み取られた曲情報を検索する。
【００１９】
ここで、上記曲情報と同一の曲情報が保持手段に存在しない場合には、上記曲についての高速ダビングの禁止期間は存在しないことになるので、曲情報検索手段は、上記曲の高速ダビングが可能であると判断し、この判断に基づいて、ダビング実施制御手段は、高速ダビング実施手段による高速ダビングを実施させる。
【００２０】
一方、上記同一の曲情報が保持手段に存在する場合には、日時情報比較手段が、第１の日時情報と、保持手段に保持されている上記同一の曲情報に対応する第２の日時情報との差と、高速ダビングの禁止期間（例えば７４分）との大小関係を比較することによって、高速ダビングの可否を判断する。
【００２１】
例えば、上記両情報の差が高速ダビングの禁止期間を越えている場合には、高速ダビングを行っても、高速ダビングの禁止期間内で同一曲が２曲存在することはないので、日時情報比較手段は、上記曲の高速ダビングが可能であると判断し、この判断に基づいて、ダビング実施制御手段は、高速ダビング実施手段による高速ダビングを実施させる。
【００２２】
逆に、上記両情報の差が高速ダビングの禁止期間以内である場合には、高速ダビングを行えば、高速ダビングの禁止期間内で同一曲が２曲存在することになり、ＨＣＭＳの概念に背くことになるので、日時情報比較手段は、上記曲の高速ダビングが不可能であると判断し、この判断に基づいて、ダビング実施制御手段は、高速ダビング実施手段による高速ダビングを中止させる。
【００２３】
このように曲情報検索手段および日時情報比較手段の判断結果に基づいて、ダビング実施制御手段が高速ダビングの実施を制御することにより、高速ダビング禁止期間内における同一曲の高速ダビングを禁止するＨＣＭＳを提供することができる。
【００２４】
ここで、上記構成では、任意の曲についての高速ダビング禁止期間内で、日時情報変更手段によって計時日時が変更された後、上記高速ダビング実施手段が駆動されたときには、日時情報更新手段によって上記曲に対応する第２の日時情報が上記変更後の日時に更新される。なお、上記日時の変更が、例えば、日時情報変更手段または装置の電源ＯＦＦによる計時手段のリセットである場合には、上記第２の日時情報は例えば同日の０：００に更新される（リセットされる）と考えることができる。
【００２５】
この場合、日時情報比較手段は、上記第１の日時情報と上記変更後の日時との差と、高速ダビング禁止期間との大小関係に基づいて、高速ダビングの可否を判断することになる。上記第１の日時情報は、上記変更後の日時よりも時間的に後であるため、上記の判断により、結果的には、上記変更後の日時から高速ダビング禁止期間の間、高速ダビングを禁止することが可能となる。
【００２６】
したがって、上記構成によれば、任意の曲について高速ダビングが行われた後、高速ダビング禁止期間内で装置の不正使用（故意の日時変更、リセット）があった場合でも、高速ダビング禁止期間内での上記曲と同一曲についての高速ダビングを確実に禁止して、ＨＣＭＳの概念に忠実な高速ダビングを実現することができる。
【００２７】
また、日時変更があった場合には日時情報更新手段によって上記第２の日時情報が更新されるので、計時手段に正しい日時を常に計時させておく必要がない。これにより、本発明のダビング装置をデジタルオーディオ機器に適用したとしても、当該機器の電源ＯＦＦ時に計時手段に電源供給するためのバックアップバッテリーを不要とすることができる。その結果、上記バックアップバッテリーが必要であると考えられる従来に比べて、消費電力を確実に低減することができる。
【００２８】
本発明に係るダビング装置は、上記の課題を解決するために、上記保持手段は、任意の曲についての高速ダビングの禁止期間内で上記日時が変更されなかったときには、上記高速ダビングの禁止期間を経過した後に、当該保持手段に保持されている上記曲についての曲情報を消去することを特徴としている。
【００２９】
任意の曲について高速ダビングが開始された後、上記曲についての高速ダビングの禁止期間内で上記日時が変更されなかったときには、上記高速ダビングの禁止期間を経過すれば、上記曲と同一の曲についての高速ダビングが可能であり、上記曲についての曲情報をもはや保持手段に保持させる必要がなくなる。したがって、上記構成によれば、高速ダビングの可否の判断に不要な曲情報を消去するようにすることで、保持手段をメモリ容量の大きなもので構成しなくても済み、保持手段ひいては装置のコストを低減することができる。
【００３０】
本発明に係るダビング装置は、上記の課題を解決するために、上記日時情報更新手段は、上記日時情報変更手段が上記日時をリセットした場合には、上記第２の日時情報をリセットすることを特徴としている。
【００３１】
上記の構成によれば、日時情報更新手段によって上記第２の日時情報がリセットされると、日時情報比較手段は、第１の日時情報とリセット時間との差と、高速ダビング禁止期間との大小関係に基づいて高速ダビングの可否を判断するので、リセット時から高速ダビング禁止期間の間、高速ダビングを禁止することが可能となる。したがって、高速ダビング禁止期間内で上記日時がリセットされた場合でも、ＨＣＭＳの概念に忠実な高速ダビングを実現することができる。
【００３２】
本発明に係るダビング装置は、上記の課題を解決するために、上記日時情報更新手段は、装置の電源ＯＦＦによって上記日時がリセットされた場合には、上記第２の日時情報をリセットすることを特徴としている。
【００３３】
上記の構成によれば、装置の電源ＯＦＦによって上記日時がリセットされると、日時情報比較手段は、第１の日時情報とリセット時間との差と、高速ダビング禁止期間との大小関係に基づいて高速ダビングの可否を判断することになる。また、装置の電源ＯＦＦによって計時手段の計時日時がリセットされるので、上記第１の日時情報は、次に上記電源をＯＮした瞬間から計時されるものとなる。これにより、上記第１の日時情報とリセット時間との差と、高速ダビング禁止期間との大小関係に基づいて高速ダビングの可否を判断すると、結局、上記電源をＯＮした瞬間から高速ダビング禁止期間の間、高速ダビングを禁止することが可能となる。したがって、上記構成によれば、高速ダビング禁止期間内で上記電源がＯＦＦされた場合でも、ＨＣＭＳの概念に忠実な高速ダビングを実現することができる。
【００３４】
本発明に係るオーディオ機器は、上記の課題を解決するために、上述したいずれかに記載のダビング装置を備えていることを特徴としている。
【００３５】
上記の構成によれば、上記ダビング装置によって、任意の曲について高速ダビング禁止期間内で装置の不正使用があった場合でもＨＣＭＳの概念に忠実な高速ダビングが実現されるので、このようなダビング装置をオーディオ機器に組み込むことにより、上記オーディオ機器という商品を通じて顧客に利便性を確実に提供することができる。
【００３６】
【発明の実施の形態】
本発明の実施の一形態について図面に基づいて説明すれば以下の通りである。本発明に係るダビング装置としてのＨＣＭＳ装置は、例えばＭＤからＭＤへの高速ダビングを行うことができる装置であり、デジタルオーディオ機器に搭載されている。このデジタルオーディオ機器は、上記のＨＣＭＳ装置の他に、ＡＭ／ＦＭチューナー、カセットデッキ、ＣＤ再生部、スピーカー等を備えている。以下、上記ＨＣＭＳ装置について詳細に説明する。
【００３７】
上記ＨＣＭＳ装置は、図１に示すように、高速ダビング実施手段１、曲情報書き込み手段２、日時情報書き込み手段３、保持手段４、曲情報検索手段５、日時情報比較手段６、ダビング実施制御手段７および計時手段８を備えている。
【００３８】
高速ダビング実施手段１は、一方のＭＤ（記録媒体）に記録された内容（例えば音楽）を他方のＭＤに高速で録音する、つまり、高速ダビングを行うものである。上記の高速ダビングは、例えば２倍速（通常ダビング時の２倍の速度）で行われるようになっている。例えば、３分の曲が２０曲（３×２０＝６０分）入っているＭＤの１曲目が１０：００に高速ダビングされたとすると、２０曲目の高速ダビング終了時刻は１０：３０となる。なお、高速ダビング時のダビング速度は、上記の２倍速に限定されるわけではなく、３倍速等、その他の速度であってもよい。
【００３９】
また、高速ダビング実施手段１は、当該高速ダビング実施手段１がＯＮされると、高速ダビングを開始する前に、ダビング元のＭＤに記録された被高速ダビング曲を識別するための曲情報（例えば曲のタイトル、曲の長さなど）を、記録された全ての被高速ダビング曲について読み取るようになっている。
【００４０】
曲情報書き込み手段２は、高速ダビング実施手段１によって読み取られた曲情報のうち、現に高速ダビングを行った音楽の曲情報を保持手段４に書き込む。日時情報書き込み手段３は、高速ダビングを行ったときの日時情報を保持手段４に書き込む。上記の日時情報は、後述する計時手段８または日時情報更新手段１０によって管理されている。保持手段４は、過去に高速ダビングを行った曲の曲情報とそのときの日時情報とをセットで保持するものであり、例えば１曲あたり８バイトで記憶する不揮発性メモリーで構成されている。
【００４１】
曲情報検索手段５は、保持手段４に保持されている曲情報（過去に高速ダビングされた曲）の中で、高速ダビング実施手段１にて読み取られた曲情報を検索し、保持手段４にこれと同一の曲情報が保持されているか否かを判断する。曲情報検索手段５は、上記同一の曲情報がなければダビング可と判断するが、上記同一の曲情報がある場合には、直ちにダビング不可とは判断せず、日時情報比較手段６にその判断を委ねる。
【００４２】
日時情報比較手段６は、高速ダビング実施手段１にて読み取られた曲情報と同一の曲情報が保持手段４に保持されている場合に、高速ダビング実施手段１を駆動した時点での日時情報（以下、第１の日時情報と称する）と、保持手段４に保持されている上記同一の曲情報に対応する日時情報（過去に高速ダビングされたときの日時情報；以下、第２の日時情報と称する）とを比較し、ダビングの可否を判断する。具体的には、日時情報比較手段６は、第１の日時情報と第２の日時情報との差が、高速ダビング禁止期間を越えている場合には、ダビング可と判断する一方、上記の差が上記所定時間以内であれば、ダビング不可と判断する。
【００４３】
なお、上記の高速ダビング禁止期間とは、ＨＣＭＳの概念に基づいて設定される、同一曲の高速ダビングを禁止する期間であり、例えばＭＤの場合、その録音可能時間である７４分がこれに対応する。
【００４４】
ダビング実施制御手段７は、曲情報検索手段５および日時情報比較手段６での判断結果に基づいて、高速ダビング実施手段１による高速ダビングの実施を制御する。つまり、曲情報検索手段５または日時情報比較手段６にてダビング可と判断された場合には、ダビング実施制御手段７は、高速ダビング実施手段１での高速ダビングを実施させる一方、日時情報比較手段６にてダビング不可と判断された場合には、高速ダビング実施手段１での高速ダビングを中止させる。
【００４５】
計時手段８は、日時を計時して時間情報を管理するものであり、例えば時計で構成されている。計時手段８にて計時された時間情報は、日時情報書き込み手段３や日時情報比較手段６の他、後述する日時情報変更手段９にも入力される。本実施形態では、計時手段８のバックアップバッテリーを設けていないので、ＨＣＭＳ装置の電源がＯＦＦされたとき、つまり、デジタルオーディオ機器自体の電源がＯＦＦされたときには、計時手段８の計時は例えば同日の０：００にリセットされ、上記電源のＯＮと同時に計時手段８の計時が再開される。
【００４６】
次に、上記構成のＨＣＭＳ装置の動作について、図２に基づいて説明する。
【００４７】
まず、高速ダビングを開始すべく、高速ダビング実施手段１が駆動されると、高速ダビング実施手段１は、ダビング元のＭＤから被高速ダビング曲の曲情報を全て読み取る（ステップ１；以下、ステップは単にＳと略記する）。
【００４８】
続いて、曲情報検索手段５は、保持手段４に保持されている曲情報の中で、高速ダビング実施手段１にて読み取られた曲情報を検索し、これと同一の曲情報が保持手段４に存在するか否かを判断する（Ｓ２）。
【００４９】
Ｓ２にて、上記同一の曲情報がないと判断された場合、曲情報検索手段５はダビング可と判断し（Ｓ３）、曲情報書き込み手段２が高速ダビング実施手段１にて読み取られた被高速ダビング曲の曲情報を保持手段４に書き込む一方、日時情報書き込み手段３がそのときの日時情報を保持手段４に書き込む（Ｓ４）。そして、ダビング実施制御手段７は、高速ダビング実施手段１による高速ダビングを開始させる（Ｓ５）。
【００５０】
一方、Ｓ２にて、上記同一の曲情報が保持手段４に存在すると判断された場合、日時情報比較手段６は、高速ダビング実施手段１を駆動した時点の第１の日時情報と、保持手段４に保持されている上記同一の曲情報に対応する第２の日時情報との差と、高速ダビング禁止期間との大小関係を比較する（Ｓ６）。
【００５１】
Ｓ６にて、上記両者の差が上記高速ダビング禁止期間を越えていると判断された場合、日時情報比較手段６はダビング可と判断し、Ｓ３に移行して上記と同様の処理を行う。一方、Ｓ６にて、上記両者の差が上記高速ダビング禁止期間以内であると判断された場合は、日時情報比較手段６はダビング不可と判断し（Ｓ７）、ダビング実施制御手段７は、高速ダビング実施手段１による高速ダビングを中止させる。
【００５２】
上記の構成によれば、被高速ダビング曲と同一の曲についての曲情報が保持手段４に保持されている場合には、上記同一曲の高速ダビング開始から所定時間が経過していない限り、高速ダビングが行われることはない。したがって、所定時間内における同一曲のデジタル高速ダビングを禁止するＨＣＭＳの概念に忠実な高速ダビングを実現することができる。その結果、デジタルオーディオ機器という商品を通して、顧客に利便性を確実に提供することができる。
【００５３】
次に、本発明の特徴部分について説明する。本発明のＨＣＭＳ装置は、図１に示すように、上記の構成に加えて、日時情報変更手段９および日時情報更新手段１０をさらに備えている。
【００５４】
日時情報変更手段９は、計時手段８にて計時されている日時を変更する（リセットを含む）ものである。例えば、計時手段８での計時日時が正式な日時よりもずれている場合、ユーザは、日時情報変更手段９によって上記計時日時を正しく設定しなおすことが可能である。
【００５５】
日時情報更新手段１０は、任意の曲についての高速ダビングの禁止期間内で、日時情報変更手段９によって上記計時日時が変更された後、高速ダビング実施手段１が駆動されたときに、上記曲に対応する第２の日時情報を上記変更後の日時に更新（上書き）する。上記変更が、日時情報変更手段９による計時手段８のリセットである場合には、日時情報更新手段１０は、上記第２の日時情報をリセットする（同日の０：００に更新する）。
【００５６】
また、日時情報更新手段１０は、ＨＣＭＳ装置の電源がＯＦＦされたとき、つまり、デジタルオーディオ機器自体の電源がＯＦＦされたときでも、上記第２の日時情報をリセットするように設定されている。
【００５７】
上記の構成において、図３のＳ１１にて、計時手段８による計時が継続して行われているとすると、日時情報更新手段１０は、日時の変更の有無を判断する（Ｓ１２）。Ｓ１２にて、日時の変更がない場合、保持手段４にて保持されている第２の日時情報は、日時情報更新手段１０によっては変更されない（Ｓ１３）。
【００５８】
一方、Ｓ１２にて、日時の変更がある場合には、日時情報更新手段１０は、上記第２の日時情報を上記変更後の日時に上書きする一方、日時がリセットされた場合には、日時情報更新手段１０は、上記第２の日時情報を同日の０：００にリセットする（Ｓ１４）。これにより、保持手段４の保持内容（第２の日時情報）が変更される（Ｓ１５）。
【００５９】
上記の構成によれば、計時手段８の日時が変更された場合には、上記第２の日時情報が上記変更後の日時に更新されるので、図２のＳ６では、第１の日時情報と上記変更後の日時とに基づいて高速ダビングの可否が判断されることになる。具体的には、Ｓ６では、第１の日時情報と上記変更後の日時との差が所定時間内（例えば７４分以内）であればダビング不可と判断され（Ｓ７）、上記の差が上記所定時間を越えていればダビング可と判断される（Ｓ３）。
【００６０】
つまり、上記の更新によって、７４分の高速ダビングの禁止期間の始点は、同一曲について過去にダビングが行われた日時（第２の日時）ではなく、上記変更後の日時となる。したがって、計時手段８の日時がどのように変更されたとしても、上記変更からの７４分間は、高速ダビングを禁止することが可能となる。
【００６１】
また、計時手段８の日時がリセットされた場合も上記と同様であり、上記第２の日時情報がリセットされることによって、リセットから７４分間、高速ダビングを禁止することが可能となる。
【００６２】
したがって、上記構成では、ある曲について高速ダビングが行われた後、例えば７４分以内に装置の不正使用（故意の日時変更、リセット）があった場合でも、ＨＣＭＳの概念である高速ダビング禁止期間内での上記曲と同一曲の高速ダビングの禁止を、規定に逆らうことなく確実に実行することができる。
【００６３】
また、デジタルオーディオ機器の電源がＯＦＦされることによりＨＣＭＳ装置の電源がＯＦＦされた場合には、日時情報更新手段１０により第２の日時情報がリセットされるだけでなく、計時手段８の計時も自ずとリセットされ、そして、上記電源のＯＮと同時に計時手段８の計時がスタートする。これにより、結果的には、７４分の高速ダビングの禁止期間の始点が上記電源ＯＮ時となる。したがって、ある曲について高速ダビングが行われた後、例えば７４分以内にデジタルオーディオ機器の電源がＯＦＦされた場合でも、上記電源ＯＮから７４分間、高速ダビングを禁止することが可能となり、ＨＣＭＳの概念に基づく高速ダビングの禁止を確実に実行することが可能となる。
【００６４】
また、計時手段８の日時が変更されたときに第２の日時情報を更新する日時情報更新手段１０を設けているので、計時手段８に正しい日時を常に計時させておく必要がない。これにより、デジタルオーディオ機器の電源ＯＦＦ時に計時手段８に電源供給するためのバックアップバッテリーを不要とすることができ、消費電力を低減することができる。また、このようにデジタルオーディオ機器の電源のみを用いて時間管理することができるので、効率的にＨＣＭＳ装置を動作させることができる。
【００６５】
つまり、本発明のＨＣＭＳ装置は、高速ダビングを実施する高速ダビング実施手段１と、日時情報を管理する計時手段８と、高速ダビングを行った音楽を識別できる曲情報と高速ダビングを行った日時情報とを保持する保持手段４と、高速ダビングを行った曲情報を検索する曲情報検索手段５と、高速ダビングを行った日時情報と、保持されている日時情報とを比較する日時情報比較手段６と、ある条件の場合に高速でのダビングを不許可とするダビング実施制御手段７と、計時手段８が初期化もしくは変更された際に、保持されている高速ダビングを行った曲に対応する日時情報を初期化するか、または変更された日時情報に上書きする日時情報更新手段１０とを具備していることにより、以上の効果を得ることができる。
【００６６】
ところで、本実施形態では、ある曲Ｘについての高速ダビングが例えば日時Ａに開始され、曲Ｘについての高速ダビングの禁止期間内で上記日時Ａが変更（日時情報変更手段によるリセットおよび機器の電源ＯＦＦによるリセットを含む）されなかったときには、上記高速ダビングの禁止期間を経過した後、すなわち、日時（Ａ＋７４分）後に、保持手段４に保持されている曲Ｘについての曲情報および上記曲情報に対応する第２の日時情報が消去されるように、保持手段４が設定されている。
【００６７】
例えば、曲Ｘの高速ダビング開始時刻を例えば１０：００とすると、デジタルオーディオ機器の電源が１１：１４まで連続的にＯＮであり、日時変更がされなければ、その後、保持手段４に保持されている曲Ｘの曲情報および上記曲情報に対応する第２の日時情報が自動的に消去される。これにより、１１：１５からは、再度、同じＭＤからの曲Ｘの高速ダビングが可能となる。
【００６８】
このように、高速ダビングの可否の判断に不要となる曲情報を随時消去するようにすることで、保持手段４をメモリ容量の大きなもので構成しなくても済む。したがって、保持手段４ひいては装置のコスト低減を図ることができる。
【００６９】
また、上記のように保持手段４を設定すると、高速ダビングの禁止期間内での日時変更さえなければ、被高速ダビング曲と同一の曲についての曲情報が保持手段４に保持されているか否かを曲情報検索手段５が判断するだけで、上記同一曲についての高速ダビングの可否を判断することが可能となる。したがって、この場合、図２において、Ｓ６の工程を省略することが可能となる。
【００７０】
以上では、ＭＤからＭＤへのダビングを行うＨＣＭＳ装置について説明したが、例えばＣＤからＭＤ、ＣＤからＣＤＲまたはＣＤＷＲ等へのダビングを行う場合でも、本発明のＨＣＭＳ装置を適用することができる。
【００７１】
【発明の効果】
本発明に係るダビング装置は、以上のように、上記計時手段にて計時されている日時を変更する日時情報変更手段と、任意の曲についての高速ダビングの禁止期間内で上記日時が変更された後、上記高速ダビング実施手段が駆動されたときに、上記曲に対応する第２の日時情報を上記変更後の日時に更新する日時情報更新手段とをさらに備えている構成である。
【００７２】
それゆえ、日時情報比較手段は、上記第１の日時情報と上記変更後の日時との差と、高速ダビング禁止期間との大小関係に基づいて高速ダビングの可否を判断することになるので、上記変更後の日時から高速ダビング禁止期間の間、高速ダビングを禁止することが可能となる。
【００７３】
したがって、上記構成によれば、任意の曲について高速ダビングが行われた後、高速ダビング禁止期間内で装置の不正使用（故意の日時変更、リセット）があった場合でも、高速ダビング禁止期間内での上記曲と同一曲についての高速ダビングを確実に禁止して、ＨＣＭＳの概念に忠実な高速ダビングを実現することができるという効果を奏する。
【００７４】
また、日時変更があった場合には日時情報更新手段によって上記第２の日時情報が更新されるので、計時手段に正しい日時を常に計時させておく必要がない。これにより、本発明のダビング装置をデジタルオーディオ機器に適用したとしても、当該機器の電源ＯＦＦ時に計時手段に電源供給するためのバックアップバッテリーを不要とすることができる。その結果、上記バックアップバッテリーが必要であると考えられる従来に比べて、消費電力を確実に低減することができるという効果を併せて奏する。
【００７５】
本発明に係るダビング装置は、以上のように、上記保持手段は、任意の曲についての高速ダビングの禁止期間内で上記日時が変更されなかったときには、上記高速ダビングの禁止期間を経過した後に、当該保持手段に保持されている上記曲についての曲情報を消去する構成である。
【００７６】
それゆえ、高速ダビングの可否の判断に不要な曲情報を消去するようにすることで、保持手段をメモリ容量の大きなもので構成しなくても済む。その結果、保持手段ひいては装置のコストを低減することができるという効果を奏する。
【００７７】
本発明に係るダビング装置は、以上のように、上記日時情報更新手段は、上記日時情報変更手段が上記日時をリセットした場合には、上記第２の日時情報をリセットする構成である。
【００７８】
それゆえ、日時情報更新手段が上記第２の日時情報をリセットすると、日時情報比較手段は、第１の日時情報とリセット時間との差と、高速ダビング禁止期間との大小関係に基づいて高速ダビングの可否を判断するので、リセット時から高速ダビング禁止期間の間、高速ダビングを禁止することが可能となる。したがって、高速ダビング禁止期間内で上記日時がリセットされた場合でも、ＨＣＭＳの概念に忠実な高速ダビングを実現することができるという効果を奏する。
【００７９】
本発明に係るダビング装置は、以上のように、上記日時情報更新手段は、装置の電源ＯＦＦによって上記日時がリセットされた場合には、上記第２の日時情報をリセットする構成である。
【００８０】
それゆえ、装置の電源ＯＦＦによって上記日時がリセットされると、日時情報比較手段は、第１の日時情報とリセット時間との差と、高速ダビング禁止期間との大小関係に基づいて高速ダビングの可否を判断することになる。また、装置の電源ＯＦＦによって計時手段の計時日時がリセットされるので、上記第１の日時情報は、上記電源をＯＮした瞬間から計時されるものとなる。これにより、上記第１の日時情報とリセット時間との差と、高速ダビング禁止期間との大小関係に基づいて高速ダビングの可否を判断すると、結局、上記電源をＯＮした瞬間から高速ダビング禁止期間の間、高速ダビングを禁止することが可能となる。したがって、上記構成によれば、高速ダビング禁止期間内で上記電源がＯＦＦされた場合でも、ＨＣＭＳの概念に忠実な高速ダビングを実現することができるという効果を奏する。
【００８１】
本発明に係るオーディオ機器は、以上のように、上述したいずれかのダビング装置を備えている構成である。
【００８２】
それゆえ、上記ダビング装置を備えたオーディオ機器という商品を通じて顧客に利便性を確実に提供することができるという効果を奏する。
【図面の簡単な説明】
【図１】本発明に係るダビング装置の概略の構成を示すブロック図である。
【図２】上記ダビング装置の全体の動作を示すフローチャートである。
【図３】上記ダビング装置における日時情報の更新動作を示すフローチャートである。
【図４】従来技術として考えられるＨＣＭＳ装置の概略の構成を示すブロック図である。
【符号の説明】
１    高速ダビング実施手段
４    保持手段
５    曲情報検索手段
６    日時情報比較手段
７    ダビング実施制御手段
８    計時手段
９    日時情報変更手段
１０    日時情報更新手段
【図１】
0003578949.tif 000002
【図２】
0003578949.tif 000003
【図３】
0003578949.tif 000004
【図４】
0003578949.tif 000005